(57)【要約】【課題】ＷＥＢ管理担当者のスキルとモチベーションの向上を促すことができるＳＥＯ対策ゲームシステムを提供すること。【解決手段】あらかじめ決定した特定検索キーワードに対して、ＳＥＯ対策の対象とする特定ＵＲＬの検索エンジン１での順位を検索するＵＲＬ順位検索手段１１と、順位に応じて異なる表示コンテンツを決定する表示コンテンツ決定手段１２と、表示コンテンツ決定手段１２で決定された表示コンテンツをゲームコンテンツとして用いるゲームプレイ手段２１とを有することを特徴とすることを特徴とする。【選択図】        図１
2016131005.tif 000002
【特許請求の範囲】
【請求項１】
検索エンジンでの順位データを、表示コンテンツに反映させて表示するＳＥＯ対策ゲームシステムであって、
あらかじめ決定した特定検索キーワードに対して、ＳＥＯ対策の対象とする特定ＵＲＬの前記検索エンジンでの順位を検索するＵＲＬ順位検索手段と、
前記順位に応じて異なる前記表示コンテンツを決定する表示コンテンツ決定手段と、
前記表示コンテンツ決定手段で決定された前記表示コンテンツをゲームコンテンツとして用いるゲームプレイ手段と
を有することを特徴とするＳＥＯ対策ゲームシステム。
【請求項２】
前記ＵＲＬ順位検索手段では、前記特定検索キーワードに対して、前記ＳＥＯ対策のターゲットとする比較ＵＲＬの前記検索エンジンでの順位を検索し、
前記ゲームプレイ手段では、前記特定ＵＲＬとともに前記比較ＵＲＬについて、前記表示コンテンツ決定手段で決定されたそれぞれの前記表示コンテンツを前記ゲームコンテンツとして用いる
ことを特徴とする請求項１に記載のＳＥＯ対策ゲームシステム。
【請求項３】
前記特定検索キーワードに対して、前記検索エンジンでの上位の順位にランクされる上位ランクＵＲＬを抽出する上位ランクＵＲＬ抽出手段と、
前記特定ＵＲＬおよび前記上位ランクＵＲＬについて、前記検索エンジンでの前記順位決定に用いられる順位決定要因データを収集する順位決定要因データ収集手段と、
前記上位ランクＵＲＬから収集した前記順位決定要因データを基準にして、前記順位決定要因データを評価別に複数のランクに区分するランク区分手段と、
前記ランクに応じたそれぞれの前記表示コンテンツを決定するランク決定手段と、
前記特定ＵＲＬから収集した前記順位決定要因データについて、該当する前記ランクを判断するランク判断手段と
を有し、
前記表示コンテンツ決定手段では、前記ランク判断手段で判断された前記ランクに応じた前記表示コンテンツを決定し、
前記ゲームプレイ手段では、前記順位に応じて決定された前記表示コンテンツを第１表示コンテンツとし、前記ランクに応じて決定された前記表示コンテンツを第２表示コンテンツとして、前記ゲームコンテンツとして用いる
ことを特徴とする請求項１に記載のＳＥＯ対策ゲームシステム。
【請求項４】
前記特定検索キーワードに対して、前記検索エンジンでの上位の順位にランクされる上位ランクＵＲＬを抽出する上位ランクＵＲＬ抽出手段と、
前記特定ＵＲＬ、前記比較ＵＲＬ、および前記上位ランクＵＲＬについて、前記検索エンジンでの前記順位決定に用いられる順位決定要因データを収集する順位決定要因データ収集手段と、
前記上位ランクＵＲＬから収集した前記順位決定要因データを基準にして、前記順位決定要因データを評価別に複数のランクに区分するランク区分手段と、
前記ランクに応じたそれぞれの前記表示コンテンツを決定するランク決定手段と、
前記特定ＵＲＬおよび前記比較ＵＲＬから収集した前記順位決定要因データについて、それぞれ該当する前記ランクを判断するランク判断手段と
を有し、
前記表示コンテンツ決定手段では、前記ランク判断手段で判断された前記ランクに応じた前記表示コンテンツを決定し、
前記ゲームプレイ手段では、前記特定ＵＲＬおよび前記比較ＵＲＬについて前記順位に応じて決定された前記表示コンテンツをそれぞれ第１表示コンテンツとし、前記特定ＵＲＬおよび前記比較ＵＲＬについて前記ランクに応じて決定された前記表示コンテンツをそれぞれ第２表示コンテンツとして、前記ゲームコンテンツとして用いる
ことを特徴とする請求項２に記載のＳＥＯ対策ゲームシステム。
【請求項５】
前記順位決定要因データ収集手段では、前記順位決定要因データとして、ＵＲＬ内コンテンツ量、ＵＲＬ内キーワード出現数、ＵＲＬ内キーワード出現率、ＵＲＬ内タグテキスト、ＵＲＬ内スパム判定、外部サイトへのリンク数、内部サイトへのリンク数、ＳＥＯガイドライン評価、検索エンジンページランク、ドメイン取得年月日、類似ページ判定、前記外部サイトからのリンク数、著作者名、および前記外部サイトからの被リンク数の中から少なくとも第１順位決定要因データと第２順位決定要因データとを収集し、
前記ランク区分手段では、前記第１順位決定要因データと前記第２順位決定要因データとについて前記ランクを別々に区分し、
前記ランク決定手段では、前記第１順位決定要因データと前記第２順位決定要因データとについて、それぞれの前記ランクに応じたそれぞれの前記表示コンテンツを、第１順位決定要因表示コンテンツと第２順位決定要因表示コンテンツとして決定し、
前記ランク判断手段では、前記特定ＵＲＬから収集した前記第１順位決定要因データと前記第２順位決定要因データとについて、該当する前記ランクを別々に判断し、
前記ゲームプレイ手段では、前記ランク判断手段で判断されたそれぞれの前記ランクに応じた第１順位決定要因表示コンテンツと第２順位決定要因表示コンテンツとを前記ゲームコンテンツとして用いる
ことを特徴とする請求項３に記載のＳＥＯ対策ゲームシステム。
【請求項６】
前記順位決定要因データ収集手段では、前記順位決定要因データとして、ＵＲＬ内コンテンツ量、ＵＲＬ内キーワード出現数、ＵＲＬ内キーワード出現率、ＵＲＬ内タグテキスト、ＵＲＬ内スパム判定、外部サイトへのリンク数、内部サイトへのリンク数、ＳＥＯガイドライン評価、検索エンジンページランク、ドメイン取得年月日、類似ページ判定、前記外部サイトからのリンク数、著作者名、および外部サイトからの被リンク数の中から少なくとも第１順位決定要因データと第２順位決定要因データとを収集し、
前記ランク区分手段では、前記第１順位決定要因データと前記第２順位決定要因データとについて前記ランクを別々に区分し、
前記ランク決定手段では、前記第１順位決定要因データと前記第２順位決定要因データとについて、それぞれの前記ランクに応じたそれぞれの前記表示コンテンツを、第１順位決定要因表示コンテンツと第２順位決定要因表示コンテンツとして決定し、
前記ランク判断手段では、前記特定ＵＲＬから収集した前記第１順位決定要因データと前記第２順位決定要因データ、および前記比較ＵＲＬから収集した前記第１順位決定要因データと前記第２順位決定要因データについて、該当する前記ランクを別々に判断し、
前記ゲームプレイ手段では、前記特定ＵＲＬおよび前記比較ＵＲＬについて前記ランク判断手段で判断されたそれぞれの前記ランクに応じた第１順位決定要因表示コンテンツと第２順位決定要因表示コンテンツとを前記ゲームコンテンツとして用いる
ことを特徴とする請求項４に記載のＳＥＯ対策ゲームシステム。
【請求項７】
前記特定ＵＲＬと前記比較ＵＲＬとの前記順位を比較し、いずれの前記順位が高いかを判断する順位比較手段と、
前記順位比較手段において、前記特定ＵＲＬの前記順位が前記比較ＵＲＬの前記順位を上回ったことを判断すると、前記ゲームプレイ手段に対してプレイ内容の変更を指示するプレイ内容変更指示手段と
を有することを特徴とする請求項１から請求項６のいずれかに記載のＳＥＯ対策ゲームシステム。
【請求項８】
前記プレイ内容変更指示手段では、前記特定ＵＲＬの前記順位が前記比較ＵＲＬの前記順位を下回ったことを判断すると、前記ゲームプレイ手段に対して前記プレイ内容の変更を指示することを特徴とする請求項７に記載のＳＥＯ対策ゲームシステム。
【請求項９】
前記ランク判断手段において、前記特定ＵＲＬから収集した前記順位決定要因データについて判断した前記ランクが上位に変動した場合には、前記ゲームプレイ手段に対して前記プレイ内容に影響するポイント付与を指示する報酬付与手段を有することを特徴とする請求項１から請求項８のいずれかに記載のＳＥＯ対策ゲームシステム。
【発明の詳細な説明】
【技術分野】
【０００１】
本発明は、検索エンジンでの順位データや順位決定要因データをゲームコンテンツに反映させて表示するＳＥＯ対策ゲームシステムに関する。
【背景技術】
【０００２】
特許文献１は、異なるＷＥＢアプリケーションを運用する複数のＷＥＢサイトを一括管理するＷＥＢサイト管理システムを提案している。
特許文献１では、ユーザが外部のＷＥＢサービスを利用して開設した複数のＷＥＢサイト上のコンテンツを、インターネットを介して接続した管理サーバにより、ＷＥＢサービスごとのＷＥＢアプリケーションを外部から遠隔操作できるＡＰＩを用いて、一括して追加・編集・削除するとともに、ＷＥＢサイト間にリンクを生成して相互に連携させ、インターネット上でのユーザのコンテンツの露出度の向上およびＳＥＯ対策の効果を発揮させている。
【先行技術文献】
【特許文献】
【０００３】
【特許文献１】特開２０１０−２２４７００号公報
【発明の開示】
【発明が解決しようとする課題】
【０００４】
インターネットユーザから魅力あるＷＥＢサイトと評価されるためには、ＷＥＢサイト内にあるコンテンツの質と量を充実させる必要があり、更には更新頻度が欠かせない。
特許文献１で提案されているようなＷＥＢサイト管理システムによるＳＥＯ対策が一般的であるが、コンテンツの質と量を充実させ、更新頻度を高めるためには、社内におけるＷＥＢ管理担当者のスキルを向上させ、モチベーションを高めることが重要である。
しかし、スキルの高いＷＥＢ管理担当者は極めて少ない。
ＷＥＢ管理担当者のスキルとモチベーションの向上を促すためには、ＷＥＢ運用をゲームアプリケーション化し、ＷＥＢサイトの状況をビジュアル化し、そしてコンテンツの更新頻度を促すための演出を施すシステムが望まれる。
【０００５】
そこで本発明は、ＷＥＢ管理担当者のスキルとモチベーションの向上を促すことができるＳＥＯ対策ゲームシステムを提供することを目的とする。
【課題を解決するための手段】
【０００６】
請求項１記載の本発明のＳＥＯ対策ゲームシステムは、検索エンジンでの順位データを、表示コンテンツに反映させて表示するＳＥＯ対策ゲームシステムであって、あらかじめ決定した特定検索キーワードに対して、ＳＥＯ対策の対象とする特定ＵＲＬの前記検索エンジンでの順位を検索するＵＲＬ順位検索手段と、前記順位に応じて異なる前記表示コンテンツを決定する表示コンテンツ決定手段と、前記表示コンテンツ決定手段で決定された前記表示コンテンツをゲームコンテンツとして用いるゲームプレイ手段とを有することを特徴とする。
請求項２記載の本発明は、請求項１に記載のＳＥＯ対策ゲームシステムにおいて、前記ＵＲＬ順位検索手段では、前記特定検索キーワードに対して、前記ＳＥＯ対策のターゲットとする比較ＵＲＬの前記検索エンジンでの順位を検索し、前記ゲームプレイ手段では、前記特定ＵＲＬとともに前記比較ＵＲＬについて、前記表示コンテンツ決定手段で決定されたそれぞれの前記表示コンテンツを前記ゲームコンテンツとして用いることを特徴とする。
請求項３記載の本発明は、請求項１に記載のＳＥＯ対策ゲームシステムにおいて、前記特定検索キーワードに対して、前記検索エンジンでの上位の順位にランクされる上位ランクＵＲＬを抽出する上位ランクＵＲＬ抽出手段と、前記特定ＵＲＬおよび前記上位ランクＵＲＬについて、前記検索エンジンでの前記順位決定に用いられる順位決定要因データを収集する順位決定要因データ収集手段と、前記上位ランクＵＲＬから収集した前記順位決定要因データを基準にして、前記順位決定要因データを評価別に複数のランクに区分するランク区分手段と、前記ランクに応じたそれぞれの前記表示コンテンツを決定するランク決定手段と、前記特定ＵＲＬから収集した前記順位決定要因データについて、該当する前記ランクを判断するランク判断手段とを有し、前記表示コンテンツ決定手段では、前記ランク判断手段で判断された前記ランクに応じた前記表示コンテンツを決定し、前記ゲームプレイ手段では、前記順位に応じて決定された前記表示コンテンツを第１表示コンテンツとし、前記ランクに応じて決定された前記表示コンテンツを第２表示コンテンツとして、前記ゲームコンテンツとして用いることを特徴とする。
請求項４記載の本発明は、請求項２に記載のＳＥＯ対策ゲームシステムにおいて、前記特定検索キーワードに対して、前記検索エンジンでの上位の順位にランクされる上位ランクＵＲＬを抽出する上位ランクＵＲＬ抽出手段と、前記特定ＵＲＬ、前記比較ＵＲＬ、および前記上位ランクＵＲＬについて、前記検索エンジンでの前記順位決定に用いられる順位決定要因データを収集する順位決定要因データ収集手段と、前記上位ランクＵＲＬから収集した前記順位決定要因データを基準にして、前記順位決定要因データを評価別に複数のランクに区分するランク区分手段と、前記ランクに応じたそれぞれの前記表示コンテンツを決定するランク決定手段と、前記特定ＵＲＬおよび前記比較ＵＲＬから収集した前記順位決定要因データについて、それぞれ該当する前記ランクを判断するランク判断手段とを有し、前記表示コンテンツ決定手段では、前記ランク判断手段で判断された前記ランクに応じた前記表示コンテンツを決定し、前記ゲームプレイ手段では、前記特定ＵＲＬおよび前記比較ＵＲＬについて前記順位に応じて決定された前記表示コンテンツをそれぞれ第１表示コンテンツとし、前記特定ＵＲＬおよび前記比較ＵＲＬについて前記ランクに応じて決定された前記表示コンテンツをそれぞれ第２表示コンテンツとして、前記ゲームコンテンツとして用いることを特徴とする。
請求項５記載の本発明は、請求項３に記載のＳＥＯ対策ゲームシステムにおいて、前記順位決定要因データ収集手段では、前記順位決定要因データとして、ＵＲＬ内コンテンツ量、ＵＲＬ内キーワード出現数、ＵＲＬ内キーワード出現率、ＵＲＬ内タグテキスト、ＵＲＬ内スパム判定、外部サイトへのリンク数、内部サイトへのリンク数、ＳＥＯガイドライン評価、検索エンジンページランク、ドメイン取得年月日、類似ページ判定、前記外部サイトからのリンク数、著作者名、および前記外部サイトからの被リンク数の中から少なくとも第１順位決定要因データと第２順位決定要因データとを収集し、前記ランク区分手段では、前記第１順位決定要因データと前記第２順位決定要因データとについて前記ランクを別々に区分し、前記ランク決定手段では、前記第１順位決定要因データと前記第２順位決定要因データとについて、それぞれの前記ランクに応じたそれぞれの前記表示コンテンツを、第１順位決定要因表示コンテンツと第２順位決定要因表示コンテンツとして決定し、前記ランク判断手段では、前記特定ＵＲＬから収集した前記第１順位決定要因データと前記第２順位決定要因データとについて、該当する前記ランクを別々に判断し、前記ゲームプレイ手段では、前記ランク判断手段で判断されたそれぞれの前記ランクに応じた第１順位決定要因表示コンテンツと第２順位決定要因表示コンテンツとを前記ゲームコンテンツとして用いることを特徴とする。
請求項６記載の本発明は、請求項４に記載のＳＥＯ対策ゲームシステムにおいて、前記順位決定要因データ収集手段では、前記順位決定要因データとして、ＵＲＬ内コンテンツ量、ＵＲＬ内キーワード出現数、ＵＲＬ内キーワード出現率、ＵＲＬ内タグテキスト、ＵＲＬ内スパム判定、外部サイトへのリンク数、内部サイトへのリンク数、ＳＥＯガイドライン評価、検索エンジンページランク、ドメイン取得年月日、類似ページ判定、前記外部サイトからのリンク数、著作者名、および外部サイトからの被リンク数の中から少なくとも第１順位決定要因データと第２順位決定要因データとを収集し、前記ランク区分手段では、前記第１順位決定要因データと前記第２順位決定要因データとについて前記ランクを別々に区分し、前記ランク決定手段では、前記第１順位決定要因データと前記第２順位決定要因データとについて、それぞれの前記ランクに応じたそれぞれの前記表示コンテンツを、第１順位決定要因表示コンテンツと第２順位決定要因表示コンテンツとして決定し、前記ランク判断手段では、前記特定ＵＲＬから収集した前記第１順位決定要因データと前記第２順位決定要因データ、および前記比較ＵＲＬから収集した前記第１順位決定要因データと前記第２順位決定要因データについて、該当する前記ランクを別々に判断し、前記ゲームプレイ手段では、前記特定ＵＲＬおよび前記比較ＵＲＬについて前記ランク判断手段で判断されたそれぞれの前記ランクに応じた第１順位決定要因表示コンテンツと第２順位決定要因表示コンテンツとを前記ゲームコンテンツとして用いることを特徴とする。
請求項７記載の本発明は、請求項１から請求項６のいずれかに記載のＳＥＯ対策ゲームシステムにおいて、前記特定ＵＲＬと前記比較ＵＲＬとの前記順位を比較し、いずれの前記順位が高いかを判断する順位比較手段と、前記順位比較手段において、前記特定ＵＲＬの前記順位が前記比較ＵＲＬの前記順位を上回ったことを判断すると、前記ゲームプレイ手段に対してプレイ内容の変更を指示するプレイ内容変更指示手段とを有することを特徴とする。
請求項８記載の本発明は、請求項７に記載のＳＥＯ対策ゲームシステムにおいて、前記プレイ内容変更指示手段では、前記特定ＵＲＬの前記順位が前記比較ＵＲＬの前記順位を下回ったことを判断すると、前記ゲームプレイ手段に対して前記プレイ内容の変更を指示することを特徴とする。
請求項９記載の本発明は、請求項１から請求項８のいずれかに記載のＳＥＯ対策ゲームシステムにおいて、前記ランク判断手段において、前記特定ＵＲＬから収集した前記順位決定要因データについて判断した前記ランクが上位に変動した場合には、前記ゲームプレイ手段に対して前記プレイ内容に影響するポイント付与を指示する報酬付与手段を有することを特徴とする。
【発明の効果】
【０００７】
本発明によれば、ゲームの中で特定ＵＲＬの順位を意識させることができるとともに、検索エンジンでの順位の向上を促すことができ、ＷＥＢ管理担当者のスキルとモチベーションの向上を促すことができる。
【図面の簡単な説明】
【０００８】
【図１】本発明の一実施例によるＳＥＯ対策ゲームシステムを示す概略構成図
【図２】本実施例によるＳＥＯ対策ゲームシステムでの特定検索キーワードの登録から書庫の作成までの処理流れを示すフロー図
【図３】本実施例によるＳＥＯ対策ゲームシステムでの比較ＵＲＬの登録からゲームまでの処理流れを示すフロー図
【図４】本実施例によるＳＥＯ対策ゲームシステムでの定期処理流れを示すフロー図
【図５】本実施例によるＳＥＯ対策ゲームシステムでの登録画面
【図６】本実施例によるＳＥＯ対策ゲームシステムでの書庫作成画面
【図７】本実施例によるＳＥＯ対策ゲームシステムでの書庫作成画面
【図８】本実施例によるＳＥＯ対策ゲームシステムでの書庫作成確認画面
【図９】本実施例によるＳＥＯ対策ゲームシステムでのＳＥＯ解説画面
【図１０】本実施例によるＳＥＯ対策ゲームシステムでの背景画像作成表示画面
【図１１】本実施例によるＳＥＯ対策ゲームシステムでの書庫一覧表示画面
【図１２】本実施例によるＳＥＯ対策ゲームシステムでのゲームモード画面
【図１３】本実施例によるＳＥＯ対策ゲームシステムでのゲームモードメニュー画面
【図１４】本実施例によるＳＥＯ対策ゲームシステムでの諜報リスト画面
【図１５】本実施例によるＳＥＯ対策ゲームシステムでの新規諜報先登録画面
【図１６】本実施例によるＳＥＯ対策ゲームシステムでの敵国情報画面
【図１７】本実施例によるＳＥＯ対策ゲームシステムでのユニット配置画面
【図１８】本実施例によるＳＥＯ対策ゲームシステムでの戦闘画面
【図１９】本実施例によるＳＥＯ対策ゲームシステムでの勝利画面
【図２０】本実施例によるＳＥＯ対策ゲームシステムでの駐屯・占領リスト（駐屯中表示）画面
【図２１】本実施例によるＳＥＯ対策ゲームシステムでの駐屯・占領リスト（占領表示）画面
【図２２】本実施例によるＳＥＯ対策ゲームシステムでの敗北画面
【図２３】本実施例によるＳＥＯ対策ゲームシステムにおける順位決定要因データの一覧リスト
【図２４】図２３の順位決定要因データの分析図
【図２５】本実施例によるＳＥＯ対策ゲームシステムにおいて、ランクまたは順位に応じたそれぞれの表示コンテンツを示す図
【図２６】本実施例によるＳＥＯ対策ゲームシステムにおいて、ゲーム背景画像表示の変化を示す図
【図２７】複数の評価基準を有するランク区分手段によるランク区分の説明図
【発明を実施するための形態】
【０００９】
本発明の第１の実施の形態によるＳＥＯ対策ゲームシステムは、あらかじめ決定した特定検索キーワードに対して、ＳＥＯ対策の対象とする特定ＵＲＬの検索エンジンでの順位を検索するＵＲＬ順位検索手段と、順位に応じて異なる表示コンテンツを決定する表示コンテンツ決定手段と、表示コンテンツ決定手段で決定された表示コンテンツをゲームコンテンツとして用いるゲームプレイ手段とを有するものである。本実施の形態によれば、検索エンジンでの順位に応じて決定された表示コンテンツをゲームコンテンツとして用いることで、ゲームの中で特定ＵＲＬの順位を意識させることができるとともに、検索エンジンでの順位の向上を促すことができる。
【００１０】
本発明の第２の実施の形態は、第１の実施の形態によるＳＥＯ対策ゲームシステムにおいて、ＵＲＬ順位検索手段では、特定検索キーワードに対して、ＳＥＯ対策のターゲットとする比較ＵＲＬの検索エンジンでの順位を検索し、ゲームプレイ手段では、特定ＵＲＬとともに比較ＵＲＬについて、表示コンテンツ決定手段で決定されたそれぞれの表示コンテンツをゲームコンテンツとして用いるものである。本実施の形態によれば、ＳＥＯ対策のターゲットとする比較ＵＲＬについても検索エンジンでの順位に応じて決定された表示コンテンツをゲームコンテンツとして用いることで、特定ＵＲＬと比較ＵＲＬとの順位の違いをビジュアルに比較できるため、ＳＥＯ対策を促すことができる。
【００１１】
本発明の第３の実施の形態は、第１の実施の形態によるＳＥＯ対策ゲームシステムにおいて、特定検索キーワードに対して、検索エンジンでの上位の順位にランクされる上位ランクＵＲＬを抽出する上位ランクＵＲＬ抽出手段と、特定ＵＲＬおよび上位ランクＵＲＬについて、検索エンジンでの順位決定に用いられる順位決定要因データを収集する順位決定要因データ収集手段と、上位ランクＵＲＬから収集した順位決定要因データを基準にして、順位決定要因データを評価別に複数のランクに区分するランク区分手段と、ランクに応じたそれぞれの表示コンテンツを決定するランク決定手段と、特定ＵＲＬから収集した順位決定要因データについて、該当するランクを判断するランク判断手段とを有し、表示コンテンツ決定手段では、ランク判断手段で判断されたランクに応じた表示コンテンツを決定し、ゲームプレイ手段では、順位に応じて決定された表示コンテンツを第１表示コンテンツとし、ランクに応じて決定された表示コンテンツを第２表示コンテンツとして、ゲームコンテンツとして用いるものである。本実施の形態によれば、順位に応じて決定された第１表示コンテンツを表示するとともに、検索エンジンでの順位決定に用いられる順位決定要因データによるランクに応じた第２表示コンテンツを表示することで、結果としての順位だけでなく、順位に影響する順位決定要因データによるランクをビジュアルに表示でき、具体的なＳＥＯ対策を促すことができる。
【００１２】
本発明の第４の実施の形態は、第２の実施の形態によるＳＥＯ対策ゲームシステムにおいて、特定検索キーワードに対して、検索エンジンでの上位の順位にランクされる上位ランクＵＲＬを抽出する上位ランクＵＲＬ抽出手段と、特定ＵＲＬ、比較ＵＲＬ、および上位ランクＵＲＬについて、検索エンジンでの順位決定に用いられる順位決定要因データを収集する順位決定要因データ収集手段と、上位ランクＵＲＬから収集した順位決定要因データを基準にして、順位決定要因データを評価別に複数のランクに区分するランク区分手段と、ランクに応じたそれぞれの表示コンテンツを決定するランク決定手段と、特定ＵＲＬおよび比較ＵＲＬから収集した順位決定要因データについて、それぞれ該当するランクを判断するランク判断手段とを有し、表示コンテンツ決定手段では、ランク判断手段で判断されたランクに応じた表示コンテンツを決定し、ゲームプレイ手段では、特定ＵＲＬおよび比較ＵＲＬについて順位に応じて決定された表示コンテンツをそれぞれ第１表示コンテンツとし、特定ＵＲＬおよび比較ＵＲＬについてランクに応じて決定された表示コンテンツをそれぞれ第２表示コンテンツとして、ゲームコンテンツとして用いるものである。本実施の形態によれば、ＳＥＯ対策のターゲットとする比較ＵＲＬについても順位に応じて決定された第１表示コンテンツを表示するとともに、検索エンジンでの順位決定に用いられる順位決定要因データによるランクに応じた第２表示コンテンツを表示することで、特定ＵＲＬと比較ＵＲＬについて、結果としての順位だけでなく、順位に影響する順位決定要因データによるランクをビジュアルに表示でき、具体的なＳＥＯ対策を促すことができる。
【００１３】
本発明の第５の実施の形態は、第３の実施の形態によるＳＥＯ対策ゲームシステムにおいて、順位決定要因データ収集手段では、順位決定要因データとして、ＵＲＬ内コンテンツ量、ＵＲＬ内キーワード出現数、ＵＲＬ内キーワード出現率、ＵＲＬ内タグテキスト、ＵＲＬ内スパム判定、外部サイトへのリンク数、内部サイトへのリンク数、ＳＥＯガイドライン評価、検索エンジンページランク、ドメイン取得年月日、類似ページ判定、外部サイトからのリンク数、著作者名、および外部サイトからの被リンク数の中から少なくとも第１順位決定要因データと第２順位決定要因データとを収集し、ランク区分手段では、第１順位決定要因データと第２順位決定要因データとについてランクを別々に区分し、ランク決定手段では、第１順位決定要因データと第２順位決定要因データとについて、それぞれのランクに応じたそれぞれの表示コンテンツを、第１順位決定要因表示コンテンツと第２順位決定要因表示コンテンツとして決定し、ランク判断手段では、特定ＵＲＬから収集した第１順位決定要因データと第２順位決定要因データとについて、該当するランクを別々に判断し、ゲームプレイ手段では、ランク判断手段で判断されたそれぞれのランクに応じた第１順位決定要因表示コンテンツと第２順位決定要因表示コンテンツとをゲームコンテンツとして用いるものである。本実施の形態によれば、順位決定要因データを少なくとも第１順位決定要因データと第２順位決定要因データとに分け、第１順位決定要因データと第２順位決定要因データとについて、それぞれのランクに応じた第１順位決定要因表示コンテンツと第２順位決定要因表示コンテンツとして表示することで、更に具体的なＳＥＯ対策を促すことができる。
【００１４】
本発明の第６の実施の形態は、第４の実施の形態によるＳＥＯ対策ゲームシステムにおいて、順位決定要因データ収集手段では、順位決定要因データとして、ＵＲＬ内コンテンツ量、ＵＲＬ内キーワード出現数、ＵＲＬ内キーワード出現率、ＵＲＬ内タグテキスト、ＵＲＬ内スパム判定、外部サイトへのリンク数、内部サイトへのリンク数、ＳＥＯガイドライン評価、検索エンジンページランク、ドメイン取得年月日、類似ページ判定、前記外部サイトからのリンク数、著作者名、および外部サイトからの被リンク数の中から少なくとも第１順位決定要因データと第２順位決定要因データとを収集し、ランク区分手段では、第１順位決定要因データと第２順位決定要因データとについてランクを別々に区分し、ランク決定手段では、第１順位決定要因データと第２順位決定要因データとについて、それぞれのランクに応じたそれぞれの表示コンテンツを、第１順位決定要因表示コンテンツと第２順位決定要因表示コンテンツとして決定し、ランク判断手段では、特定ＵＲＬから収集した第１順位決定要因データと第２順位決定要因データ、および比較ＵＲＬから収集した第１順位決定要因データと第２順位決定要因データについて、該当するランクを別々に判断し、ゲームプレイ手段では、特定ＵＲＬおよび比較ＵＲＬについてランク判断手段で判断されたそれぞれのランクに応じた第１順位決定要因表示コンテンツと第２順位決定要因表示コンテンツとをゲームコンテンツとして用いるものである。本実施の形態によれば、特定ＵＲＬと比較ＵＲＬについて、順位決定要因データを少なくとも第１順位決定要因データと第２順位決定要因データとに分け、第１順位決定要因データと第２順位決定要因データとについて、それぞれのランクに応じた第１順位決定要因表示コンテンツと第２順位決定要因表示コンテンツとして表示することで、更に具体的なＳＥＯ対策を促すことができる。
【００１５】
本発明の第７の実施の形態は、第１から第６のいずれかの実施の形態によるＳＥＯ対策ゲームシステムにおいて、特定ＵＲＬと比較ＵＲＬとの順位を比較し、いずれの順位が高いかを判断する順位比較手段と、順位比較手段において、特定ＵＲＬの順位が比較ＵＲＬの順位を上回ったことを判断すると、ゲームプレイ手段に対してプレイ内容の変更を指示するプレイ内容変更指示手段とを有するものである。本実施の形態によれば、ＳＥＯ対策のターゲットとする比較ＵＲＬの順位を上回ることでプレイ内容が変更されるため、ＳＥＯ対策の結果をゲームの中で実感でき、モチベーションを高めることができる。
【００１６】
本発明の第８の実施の形態は、第７の実施の形態によるＳＥＯ対策ゲームシステムにおいて、プレイ内容変更指示手段では、特定ＵＲＬの順位が比較ＵＲＬの順位を下回ったことを判断すると、ゲームプレイ手段に対してプレイ内容の変更を指示するものである。本実施の形態によれば、十分なＳＥＯ対策が行われなかったことによる順位の低下をゲームの中で実感させることで、継続的なＳＥＯ対策を促すことができる。
【００１７】
本発明の第９の実施の形態は、第１から第８のいずれかの実施の形態によるＳＥＯ対策ゲームシステムにおいて、ランク判断手段において、特定ＵＲＬから収集した順位決定要因データについて判断したランクが上位に変動した場合には、ゲームプレイ手段に対してプレイ内容に影響するポイント付与を指示する報酬付与手段を有するものである。本実施の形態によれば、ＳＥＯ対策の結果をゲームに反映させることで、モチベーションを高めることができる。
【実施例】
【００１８】
以下本発明の一実施例によるＳＥＯ対策ゲームシステムについて説明する。
図１は本実施例によるＳＥＯ対策ゲームシステムを示す概略構成図である。
本実施例によるＳＥＯ対策ゲームシステム１０は、あらかじめ決定した特定検索キーワードに対して、ＳＥＯ対策の対象とする特定ＵＲＬの検索エンジン１での順位を検索するＵＲＬ順位検索手段１１と、順位に応じて異なる表示コンテンツを決定する表示コンテンツ決定手段１２とを有する。
ＵＲＬ順位検索手段１１では、特定検索キーワードに対して、ＳＥＯ対策のターゲットとする比較ＵＲＬの検索エンジン１での順位も検索する。
特定検索キーワードは検索キーワード記憶手段３１に記憶され、特定ＵＲＬは特定ＵＲＬ記憶手段３２に記憶され、比較ＵＲＬは比較ＵＲＬ記憶手段３３に記憶されている。
表示コンテンツ記憶手段３４には、順位に応じた異なる表示コンテンツが記憶されている。
特定ＵＲＬ用表示コンテンツ記憶手段３５には、特定ＵＲＬの検索エンジン１での順位に応じた表示コンテンツがゲームコンテンツとして記憶され、比較ＵＲＬ用表示コンテンツ記憶手段３６には、比較ＵＲＬの検索エンジン１での順位に応じた表示コンテンツがゲームコンテンツとして記憶されている。なお、特定ＵＲＬ用表示コンテンツ記憶手段３５および比較ＵＲＬ用表示コンテンツ記憶手段３６には、順位に応じた表示コンテンツとともに検索エンジン１での順位を記憶させるか、または順位に応じた表示コンテンツではなく検索エンジン１での順位を記憶させてもよい。
【００１９】
ＳＥＯ対策ゲームシステム１０は、上位ランクＵＲＬ抽出手段１３と、順位決定要因データ収集手段１４と、ランク区分手段１５と、ランク決定手段１６と、ランク判断手段１７とを有する。
上位ランクＵＲＬ抽出手段１３は、特定検索キーワードに対して、検索エンジン１での上位の順位にランクされる上位ランクＵＲＬを抽出する。
順位決定要因データ収集手段１４は、特定ＵＲＬ、比較ＵＲＬ、および上位ランクＵＲＬについて、検索エンジン１での順位決定に用いられる順位決定要因データを収集する。
ランク区分手段１５は、上位ランクＵＲＬから収集した順位決定要因データを基準にして、順位決定要因データを評価別に複数のランクに区分する。
ランク決定手段１６は、ランクに応じたそれぞれの表示コンテンツを決定する。
ランク判断手段１７は、特定ＵＲＬまたは比較ＵＲＬから収集した順位決定要因データについて、該当するランクを判断する。
【００２０】
上位ランクＵＲＬ抽出手段１３では、例えば、１位から１０位までの第１ランク群、１１位から２０位までの第２ランク群、２１位から３０位までの第３ランク群、３１位から４０位までの第４ランク群、４１位から５０位までの第５ランク群、５１位から６０位までの第６ランク群、６１位から７０位までの第７ランク群、７１位から８０位までの第８ランク群、８１位から９０位までの第９ランク群、９１位から１００位までの第１０ランク群のように、上位から一定数のＵＲＬ２を複数のランク群として抽出する。
順位決定要因データ収集手段１４では、例えば、ＵＲＬ内コンテンツ量、ＵＲＬ内キーワード出現数、ＵＲＬ内キーワード出現率、ＵＲＬ内タグテキスト、ＵＲＬ内スパム判定、外部サイトへのリンク数、内部サイトへのリンク数、ＳＥＯガイドライン評価、検索エンジンページランク、ドメイン取得年月日、類似ページ判定、外部サイトからのリンク数、著作者名、および外部サイトからの被リンク数の中から少なくともいずれか一つを順位決定要因データとして各ＵＲＬ２から収集する。ここで、外部サイトからのリンク数は、リンクされているドメイン（ＵＲＬ）の数、外部サイトからの被リンク数は、リンクされている１ドメイン（ＵＲＬ）あたりのリンク数である。
ランク区分手段１５では、ＵＲＬ内コンテンツ量として、例えばテキスト文字数を順位決定要因データとした場合には、第１ランク群の平均テキスト文字数（例えば５０００文字）を第１ランク、第２ランク群の平均テキスト文字数（例えば４０００文字）を第２ランク、第３ランク群の平均テキスト文字数（例えば３８００文字）を第３ランクのようにテキスト文字数に応じて複数のランクに区分する。
【００２１】
そして、ランク決定手段１６では、例えば表示コンテンツを塔とした場合には、第１ランクは五重の塔、第２ランクは四重の塔、第３ランクは三重の塔のように、ランクに応じたそれぞれの表示コンテンツを決定する。
一方、ランク判断手段１７では、例えば、特定ＵＲＬから収集したテキスト文字数が３７００であり、比較ＵＲＬから収集したテキスト文字数が４９００文字であれば、特定ＵＲＬは第３ランク、比較ＵＲＬは第１ランクと判断する。
従って、表示コンテンツ決定手段１２では、例えば、特定ＵＲＬについては第３ランクである三重の塔を表示コンテンツとして決定し、比較ＵＲＬについては第１ランクである五重の塔を表示コンテンツとして決定する。
【００２２】
このように、表示コンテンツ決定手段１２では、特定ＵＲＬまたは比較ＵＲＬについて、ランク判断手段１７で判断されたランクに応じた表示コンテンツを決定する。
表示コンテンツ記憶手段３４には、ランクに応じた異なる表示コンテンツが記憶されている。
特定ＵＲＬ用表示コンテンツ記憶手段３５には、特定ＵＲＬについてランク判断手段１７で判断されたランクに応じた表示コンテンツがゲームコンテンツとして記憶され、比較ＵＲＬ用表示コンテンツ記憶手段３６には、比較ＵＲＬについてランク判断手段１７で判断されたランクに応じた表示コンテンツがゲームコンテンツとして記憶されている。なお、特定ＵＲＬ用表示コンテンツ記憶手段３５および比較ＵＲＬ用表示コンテンツ記憶手段３６には、ランクに応じた表示コンテンツとともにランク判断手段１７で判断されたランクを記憶させるか、またはランクに応じた表示コンテンツではなくランク判断手段１７で判断されたランクを記憶させてもよい。
【００２３】
なお、順位決定要因データ収集手段１４では、複数の異なる順位決定要因データを収集することが好ましく、少なくとも第１順位決定要因データと第２順位決定要因データとを収集する。
順位決定要因データ収集手段１４において、第１順位決定要因データと第２順位決定要因データとを収集する場合には、ランク区分手段１５では、第１順位決定要因データと第２順位決定要因データとについてランクを別々に区分する。また、ランク決定手段１６では、第１順位決定要因データと第２順位決定要因データとについて、それぞれのランクに応じたそれぞれの表示コンテンツを、第１順位決定要因表示コンテンツと第２順位決定要因表示コンテンツとして決定する。そして、ランク判断手段１７では、特定ＵＲＬから収集した第１順位決定要因データと第２順位決定要因データ、および比較ＵＲＬから収集した第１順位決定要因データと第２順位決定要因データについて、該当するランクを別々に判断する。
【００２４】
ＳＥＯ対策ゲームシステム１０は、更に順位比較手段１８とプレイ内容変更指示手段１９と報酬付与手段２０とを有する。
順位比較手段１８は、特定ＵＲＬと比較ＵＲＬとの順位を比較し、前回の順位データとの比較から、特定ＵＲＬの順位が比較ＵＲＬの順位を上回ったか、または特定ＵＲＬの順位が比較ＵＲＬの順位を下回ったかを判断する。
プレイ内容変更指示手段１９は、順位比較手段１８において、特定ＵＲＬの順位が比較ＵＲＬの順位を上回ったことを判断し、または特定ＵＲＬの順位が比較ＵＲＬの順位を下回ったことを判断した場合には、プレイ内容の変更を指示する。このプレイ内容の変更はプレイ内容記憶手段３７に記憶される。
報酬付与手段２０は、ランク判断手段１７において、特定ＵＲＬから収集した順位決定要因データについて判断したランクが上位に変動した場合には、プレイ内容に影響するポイント付与を指示する。このプレイ内容に影響するポイント付与はプレイ内容記憶手段３７に記憶される。
【００２５】
ゲームプレイ手段２１は、例えば対戦型のゲームソフトウェアであり、表示コンテンツ決定手段１２で決定された表示コンテンツをゲームコンテンツとして用いる。
ゲームプレイ手段２１では、例えば特定ＵＲＬに対応する自国表示と、比較ＵＲＬに対応する敵国表示とを有している。自国表示では、特定ＵＲＬの検索エンジン１での順位に応じて表示コンテンツ決定手段１２で決定され、特定ＵＲＬ用表示コンテンツ記憶手段３５に記憶された表示コンテンツをゲームコンテンツとして用いる。また、敵国表示では、比較ＵＲＬの検索エンジン１での順位に応じて表示コンテンツ決定手段１２で決定され、比較ＵＲＬ用表示コンテンツ記憶手段３６に記憶された表示コンテンツをゲームコンテンツとして用いる。
本実施例によれば、検索エンジン１での順位に応じて決定された表示コンテンツをゲームコンテンツとして用いることで、ゲームの中で特定ＵＲＬの順位を意識させることができるとともに、検索エンジン１での順位の向上を促すことができる。
また、本実施例によれば、ＳＥＯ対策のターゲットとする比較ＵＲＬについても検索エンジン１での順位に応じて決定された表示コンテンツをゲームコンテンツとして用いることで、特定ＵＲＬと比較ＵＲＬとの順位の違いを自国表示および敵国表示としてビジュアルに比較できるため、ＳＥＯ対策を促すことができる。
【００２６】
また、ゲームプレイ手段２１における自国表示では、特定ＵＲＬの検索エンジン１での順位に応じて決定された表示コンテンツを第１表示コンテンツとし、ランク判断手段１７で判断されたランクに応じて決定された表示コンテンツを第２表示コンテンツとしてゲームコンテンツとして用いる。例えば、第１表示コンテンツとして城の大きさ、第２表示コンテンツとして気球の数とする。
本実施例によれば、順位に応じて決定された第１表示コンテンツを自国の大きさとして表示するとともに、順位決定要因データによるランクに応じた第２表示コンテンツを気球の数として表示することで、結果としての順位を城の大きさで把握でき、順位に影響する順位決定要因データによるランクを気球の数で把握できるため、具体的なＳＥＯ対策を促すことができる。
【００２７】
また、ゲームプレイ手段２１における敵国表示では、比較ＵＲＬの検索エンジン１での順位に応じて決定された表示コンテンツを第１表示コンテンツとし、ランク判断手段１７で判断されたランクに応じて決定された表示コンテンツを第２表示コンテンツとしてゲームコンテンツとして用いる。
本実施例によれば、ＳＥＯ対策のターゲットとする比較ＵＲＬについても順位に応じて決定された第１表示コンテンツを敵国の大きさとして表示するとともに、順位決定要因データによるランクに応じた第２表示コンテンツを気球の数として表示することで、特定ＵＲＬによる自国表示と比較ＵＲＬによる敵国表示とを、結果としての順位を城の大きさで把握でき、順位に影響する順位決定要因データによるランクを気球の数で把握できるため、特定ＵＲＬに対して具体的なＳＥＯ対策を促すことができる。
【００２８】
また、ゲームプレイ手段２１における自国表示では、ランク判断手段１７で判断されたそれぞれのランクに応じた第１順位決定要因表示コンテンツと第２順位決定要因表示コンテンツとをゲームコンテンツとして用いる。例えば、第１順位決定要因表示コンテンツとして気球の数、第２順位決定要因表示コンテンツとして民家の数とする。
本実施例によれば、順位決定要因データを少なくとも第１順位決定要因データと第２順位決定要因データとに分け、第１順位決定要因データと第２順位決定要因データとについて、第１順位決定要因表示コンテンツと第２順位決定要因表示コンテンツとしてそれぞれのランクに応じた気球の数と民家の数として表示することで、更に具体的なＳＥＯ対策を促すことができる。
【００２９】
また、ゲームプレイ手段２１における敵国表示では、ランク判断手段１７で判断されたそれぞれのランクに応じた第１順位決定要因表示コンテンツと第２順位決定要因表示コンテンツとをゲームコンテンツとして用いる。
本実施例によれば、自国表示と敵国表示とにおいて、気球の数と民家の数を比較することで、特定ＵＲＬに対して更に具体的なＳＥＯ対策を促すことができる。
【００３０】
ＳＥＯ対策ゲームシステム１０は更新指示手段２２を有しており、更新指示手段２２によって、あらかじめ決定した特定検索キーワードに対する特定ＵＲＬおよび比較ＵＲＬについてのＵＲＬ順位検索手段１１での順位検索と、あらかじめ決定した特定検索キーワードに対する上位ランクＵＲＬ抽出手段１３による抽出と、順位決定要因データ収集手段１４による順位決定要因データの収集とを、定期的または所定のトリガーによって行い、順位またはランクに応じた表示コンテンツの決定、プレイ内容の変更指示、およびポイント付与を行う。
【００３１】
図２から図４は本実施例によるＳＥＯ対策ゲームシステムの処理流れを示すフロー図である。
図２を用いて、特定検索キーワードの登録から書庫の作成までの処理流れを説明する。
ユーザの通信端末機器において、登録画面を表示させ、ＳＥＯ対策の対象とする特定ＵＲＬを入力する（ステップ１）。入力された特定ＵＲＬは、特定ＵＲＬ記憶手段３２に記憶され、ＳＥＯ対策ゲームシステム１０に登録される（ステップ２）。
ステップ１における特定ＵＲＬの入力後に書庫作成画面が表示される。この書庫作成画面において、検索キーワードを入力する（ステップ３）。
ステップ３で入力された検索キーワードに対して、特定ＵＲＬの検索エンジン１での順位を検索する（ステップ４）。特定ＵＲＬの検索エンジン１での順位の検索は、ＵＲＬ順位検索手段１１で行われる。
ユーザの通信端末機器には、ステップ４で検索された順位が表示され（ステップ５）、ユーザはステップ３で入力した検索キーワードで確定するか否かを判断する（ステップ６）。順位が例えば１０００番以下のように極めて低い順位である場合には検索キーワードによる対象範囲が広すぎであるため、または順位が１位の場合には検索キーワードによる対象範囲が狭すぎであるため、必要に応じてステップ３に戻って改めて検索キーワードを入力する。
【００３２】
一方、ユーザは、ステップ３で再入力した検索キーワードによる順位が適当であると判断して検索キーワードを確定する（ステップ６）と、検索キーワードの決定を入力する（ステップ７）。
ステップ７において決定の入力がなされると、ステップ３で入力された検索キーワードは、検索キーワード記憶手段３１に記憶されることで登録され（ステップ８）、ＳＥＯ対策ゲームシステム１０において書庫が作成される（ステップ９）。
ステップ９における書庫の作成では、ステップ２で登録された特定ＵＲＬに対して、ステップ３で入力された検索キーワードと、ステップ４で検索されたこの検索キーワードに対する特定ＵＲＬの検索エンジン１での順位が登録される。特定ＵＲＬの検索エンジン１での順位は、特定ＵＲＬ用表示コンテンツ記憶手段３５に記憶させる。
ステップ９における書庫の作成の後に、順位決定要因データの収集を行う（ステップ１０）。具体的には、上位ランクＵＲＬ抽出手段１３によって、特定検索キーワードに対して、検索エンジン１での上位の順位にランクされる上位ランクＵＲＬを抽出し、順位決定要因データ収集手段１４によって、特定ＵＲＬ、比較ＵＲＬ、および上位ランクＵＲＬについて、検索エンジン１での順位決定に用いられる順位決定要因データを収集する。
【００３３】
ステップ１０における順位決定要因データの収集の後に、ランク別に順位決定要因データを分析する（ステップ１１）。
ステップ１１における順位決定要因データの分析では、ランク区分手段１５によって、上位ランクＵＲＬから収集した順位決定要因データを基準にして、順位決定要因データを評価別に複数のランクに区分し、ランク決定手段１６によって、ランクに応じたそれぞれの表示コンテンツを決定する。
ステップ１１における順位決定要因データの分析の後に、ランク判断手段１７によって、特定ＵＲＬから収集した順位決定要因データについて、該当するランクを判断する（ステップ１２）。
ステップ１２において判断された特定ＵＲＬのランクに応じて、表示コンテンツ決定手段１２では表示コンテンツを第２表示コンテンツとして決定する（ステップ１３）。
ステップ１３では、表示コンテンツ決定手段１２によって、特定ＵＲＬの検索エンジン１での順位に応じた表示コンテンツを第１表示コンテンツとして決定する。
【００３４】
ステップ１３で決定された第１表示コンテンツおよび第２表示コンテンツを基に特定ＵＲＬについてゲーム背景画像を作成する（ステップ１４）。
ステップ１４において作成された特定ＵＲＬについてのゲーム背景画像は、特定ＵＲＬ用表示コンテンツ記憶手段３５に記憶されることで、書庫に登録される（ステップ１５）。
ステップ１４において特定ＵＲＬについてのゲーム背景画像が作成されると、ユーザの通信端末機器にはゲーム背景画像作成完了表示がなされ、ゲーム背景画像の確認を指示することで（ステップ１６）、書庫に登録されたゲーム背景画像を表示することができる。
【００３５】
図３を用いて、比較ＵＲＬの登録からゲームまでの処理流れを説明する。
ユーザの通信端末機器において、ゲームモード画面を表示させ、ＳＥＯ対策のターゲットとする比較ＵＲＬを入力する（ステップ２１）。入力された比較ＵＲＬについては、特定検索キーワードに対して、ＵＲＬ順位検索手段１１によって検索エンジン１での順位を検索し、順位決定要因データ収集手段１４によって順位決定要因データを収集する（ステップ２２）。
ユーザの通信端末機器には、ステップ２２で収集された比較ＵＲＬについての情報が表示され、ユーザはステップ２１で入力した比較ＵＲＬで決定するか否かを判断する（ステップ２３）。
ユーザが比較ＵＲＬとして決定しない場合には、ステップ２１に戻って新たに別の比較ＵＲＬを選択する。
【００３６】
ユーザがステップ２１で再入力した比較ＵＲＬが適当であると判断すると、比較ＵＲＬの決定を入力する（ステップ２４）。
ステップ２４にて比較ＵＲＬが決定されると、ランク判断手段１７によって、比較ＵＲＬから収集した順位決定要因データについて、該当するランクを判断する（ステップ２５）。
ステップ２５において判断された比較ＵＲＬのランクに応じて、表示コンテンツ決定手段１２では表示コンテンツを第２表示コンテンツとして決定する（ステップ２６）。
ステップ２６では、表示コンテンツ決定手段１２によって、比較ＵＲＬの検索エンジン１での順位に応じた表示コンテンツを第１表示コンテンツとして決定する。
ステップ１３で決定された第１表示コンテンツおよび第２表示コンテンツを基に比較ＵＲＬについてゲーム背景画像を作成する（ステップ２７）。
ステップ２７において作成された比較ＵＲＬについてのゲーム背景画像は、比較ＵＲＬ用表示コンテンツ記憶手段３６に記憶されることで、データベースに保存される（ステップ２８）。
【００３７】
ステップ２７において比較ＵＲＬについてのゲーム背景画像が作成されると、ユーザの通信端末機器には、ステップ２７で作成された比較ＵＲＬに対するゲーム開始表示がなされるのでゲームを開始するか否かを選択する（ステップ２９）。
ステップ２９において、ゲーム開始を選択する場合にはゲーム（戦闘）を開始することができる（ステップ３０）。ステップ２９においてステップ２７で作成された比較ＵＲＬに対するゲーム開始を選択しない場合には、他の新規の比較ＵＲＬの登録か、既登録の比較ＵＲＬとのゲーム開始を選択することができる（ステップ３１）。
ステップ３１において、他の新規の比較ＵＲＬの登録を行う場合には、ステップ２１にて新たな比較ＵＲＬを入力する。ステップ３１において、既登録の比較ＵＲＬとのゲーム開始を選択する場合には、ゲーム対象として選択する比較ＵＲＬを入力する（ステップ３２）。
ステップ３２において既登録の比較ＵＲＬを入力することで、ゲームを開始することができる（ステップ３０）。
ステップ３０におけるゲームの結果、ステップ３３においてゲームに勝利した場合にはゲーム勝利（例えば駐屯）データをプレイ内容記憶手段３７に記憶する（ステップ３４）。
ステップ３０におけるゲームの結果、ステップ３３においてゲームに勝利しなかった場合にはゲーム未勝利データをプレイ内容記憶手段３７に記憶する（ステップ３５）。
【００３８】
図４を用いて、定期処理流れを説明する。なお、図４では、一つの書、すなわち登録された一つの特定検索キーワードについて説明するが、複数の特定検索キーワードが登録され、複数の書が製作されている場合には、全ての書、すなわち登録された全ての特定検索キーワードで処理が行われる。
定期処理は、更新指示手段２２によって、定期的に、または所定のトリガーで行なわれる。
書庫から検索キーワードを抽出する（ステップ４１）。検索キーワードは、更新指示手段２２によって、検索キーワード記憶手段３１に記憶している特定検索キーワードを読み出すことによって抽出される。
ステップ４２では、順位決定要因データの収集を行う。具体的には、上位ランクＵＲＬ抽出手段１３によって、特定検索キーワードに対して、検索エンジン１での上位の順位にランクされる上位ランクＵＲＬを抽出し、順位決定要因データ収集手段１４によって、特定ＵＲＬ、比較ＵＲＬ、および上位ランクＵＲＬについて、検索エンジン１での順位決定に用いられる順位決定要因データを収集する。
ステップ４２における順位決定要因データの収集の後に、ランク別に順位決定要因データを分析する（ステップ４３）。
ステップ４３における順位決定要因データの分析では、ランク区分手段１５によって、上位ランクＵＲＬから収集した順位決定要因データを基準にして、順位決定要因データを評価別に複数のランクに区分し、ランク決定手段１６によって、ランクに応じたそれぞれの表示コンテンツを決定する。
【００３９】
ステップ４３における順位決定要因データの分析の後に、特定ＵＲＬ記憶手段３２に記憶している特定ＵＲＬ、および比較ＵＲＬ記憶手段３３に記憶している比較ＵＲＬを順に抽出する（ステップ４４）。
ステップ４４では、まず特定ＵＲＬを抽出し、ランク判断手段１７によって、特定ＵＲＬから収集した順位決定要因データについて、該当するランクを判断する（ステップ４５）。なお、ステップ４４における登録ＵＲＬの抽出処理は、Ｓ４１における検索キーワードの抽出とともに行い、ステップ４５におけるランク判断処理は、Ｓ４２における順位決定要因データの収集やＳ４３における順位決定要因データの分析処理と同じタイミングで行うことが好ましい。
ステップ４５において判断された特定ＵＲＬのランクに応じて、表示コンテンツ決定手段１２では表示コンテンツを第２表示コンテンツとして決定する（ステップ４６）。
ステップ４６では、表示コンテンツ決定手段１２によって、特定ＵＲＬの検索エンジン１での順位に応じた表示コンテンツを第１表示コンテンツとして決定する。
ステップ４６で決定された第１表示コンテンツおよび第２表示コンテンツを基に特定ＵＲＬについてゲーム背景画像を作成する（ステップ４７）。
ステップ４７において作成された特定ＵＲＬについてのゲーム背景画像は、特定ＵＲＬ用表示コンテンツ記憶手段３５に記憶されることで、書庫に登録される（ステップ４８）。
特定ＵＲＬの処理の場合には、ステップ４９にて他の登録ＵＲＬ有りと判断され、ステップ４４において比較ＵＲＬを抽出する。
【００４０】
ステップ４４で抽出された比較ＵＲＬについては、ランク判断手段１７によって、比較ＵＲＬから収集した順位決定要因データについて、該当するランクを判断する（ステップ４５）。
ステップ４５において判断された比較ＵＲＬのランクに応じて、表示コンテンツ決定手段１２では表示コンテンツを第２表示コンテンツとして決定する（ステップ４６）。
ステップ４６では、表示コンテンツ決定手段１２によって、比較ＵＲＬの検索エンジン１での順位に応じた表示コンテンツを第１表示コンテンツとして決定する。
ステップ４６で決定された第１表示コンテンツおよび第２表示コンテンツを基に比較ＵＲＬについてゲーム背景画像を作成する（ステップ４７）。
ステップ４７において作成された比較ＵＲＬについてのゲーム背景画像は、比較ＵＲＬ用表示コンテンツ記憶手段３６に記憶されることで、書庫に登録される（ステップ４８）。
【００４１】
比較ＵＲＬについては、ステップ４８における書庫への登録の後に、順位比較手段１８によって、特定ＵＲＬとの順位が比較される（ステップ５１）。
ステップ５１における比較ＵＲＬと特定ＵＲＬとの順位比較の結果、ステップ５２において、比較ＵＲＬが特定ＵＲＬよりもランキングが下となったことが判断されると、該当する比較ＵＲＬに対してゲームで既に勝利しているか否かが判断される（ステップ５３）。
ステップ５３において該当する比較ＵＲＬに対してゲームで既に勝利していると判断されると、プレイ内容変更指示手段１９によってプレイ内容の変更を指示し、ゲーム終了（占領）データを登録する（ステップ５４）。
ステップ５４にてゲーム終了（占領）データを登録後、ステップ４９にて他の登録された比較ＵＲＬの有無を判断し、他の登録された比較ＵＲＬが有る場合にはステップ４４に戻って他の比較ＵＲＬを抽出する。また、ステップ４９にて他の登録された比較ＵＲＬが無い場合には定期処理を終了する。
【００４２】
ステップ５３において該当する比較ＵＲＬに対してゲームで勝利していないと判断されると、プレイ内容変更指示手段１９によるプレイ内容の変更指示無しに、ステップ４９にて他の登録された比較ＵＲＬの有無を判断し、他の登録された比較ＵＲＬが有る場合にはステップ４４に戻って他の比較ＵＲＬを抽出する。また、ステップ４９にて他の登録された比較ＵＲＬが無い場合には定期処理を終了する。
【００４３】
ステップ５２において、比較ＵＲＬが特定ＵＲＬよりもランキングが上となったことが判断されると、該当する比較ＵＲＬに対して既にゲームが終了（占領）しているか否かが判断される（ステップ５５）。
ステップ５５において該当する比較ＵＲＬに対して既にゲームが終了（占領）していると判断されると、プレイ内容変更指示手段１９によってプレイ内容の変更を指示し、ゲーム再開（反乱）データを登録する（ステップ５６）。
ステップ５６にてゲーム再開（反乱）データを登録後、ステップ４９にて他の登録された比較ＵＲＬの有無を判断し、他の登録された比較ＵＲＬが有る場合にはステップ４４に戻って他の比較ＵＲＬを抽出する。また、ステップ４９にて他の登録された比較ＵＲＬが無い場合には定期処理を終了する。
【００４４】
ステップ５５において該当する比較ＵＲＬに対してゲーム終了（占領）していないと判断されると、プレイ内容変更指示手段１９によるプレイ内容の変更指示無しに、ステップ４９にて他の登録された比較ＵＲＬの有無を判断し、他の登録された比較ＵＲＬが有る場合にはステップ４４に戻って他の比較ＵＲＬを抽出する。また、ステップ４９にて他の登録された比較ＵＲＬが無い場合には定期処理を終了する。
なお、ステップ４２における上位ランクＵＲＬについての順位決定要因データの収集と、ステップ４３における順位決定要因データの分析とを省略し、すでに記憶されているランクを用いてもよい。たとえば、１週間に１日だけステップ４２における上位ランクＵＲＬについての順位決定要因データの収集と、ステップ４３における順位決定要因データの分析とを行い、その他の日は、これらの処理を行わないこともできる。
【００４５】
図５から図２２は各ステップにおける画面である。
図５は登録画面であり、ステップ１における特定ＵＲＬの入力を促すＵＲＬ入力欄７１と、入力データの確定と送信を行う実行欄７２とを有する。
図６は書庫作成画面であり、ステップ３における検索キーワードの入力を促す検索キーワード入力欄７３と、入力データの確定と送信を行う実行欄７４と、検索エンジン１での順位を表示する順位表示欄７５を有する。
検索キーワード入力欄７３には、複数の検索キーワードを入力でき、複数の検索キーワードを入力した場合には、これらの検索キーワードはＡＮＤ条件として処理される。実行欄７４を指示することで、図７に示すように順位表示欄７５に検索エンジン１での順位が表示される。
図７に示す書庫作成画面において実行欄７４を指示することで、図８に示す書庫作成確認画面が表示される。図８に示す書庫作成確認画面では、自国としての特定ＵＲＬ、登録しようとしている検索キーワードが表示される。図８に示す決定欄７６を指示することで、ステップ７における検索キーワードの決定が行われる。
図９に示すＳＥＯ解説画面は、図２に示す処理流れにおいて、ステップ８における検索キーワードの登録から、ステップ１４におけるゲーム背景画像の作成までの処理期間中に示すＳＥＯ解説画面である。
図９に示すＳＥＯ解説画面において表示されている指示欄７７を指示することで、ＳＥＯ解説画面が順に表示される。ＳＥＯ解説画面では、ＳＥＯ対策の対象とする特定ＵＲＬについての現状把握、改善のヒント・アドバイス、ＳＥＯ対策のターゲット、すなわち競争相手とする比較ＵＲＬの分析、目標設定、目標に向けての改善についての解説を表示する。
【００４６】
図１０は、ステップ１４におけるゲーム背景画像の作成が完了したタイミングで表示されるゲーム背景画像作成表示画面である。図１０に示すゲーム背景画像作成表示画面において表示されている指示欄７８を指示することで、ステップ１６におけるゲーム背景画像の確認を行うことができる。
図１１は書庫一覧表示画面である。特定ＵＲＬに対して、複数の特定検索キーワードを登録することができ、それぞれの特定検索キーワードに対して書が製作される。図１１では６つの書７９ａ、７９ｂ、７９ｃ、７９ｄ、７９ｅ、７９ｆが登録されていることを示している。それぞれの書７９ａ、７９ｂ、７９ｃ、７９ｄ、７９ｅ、７９ｆ単位で、競争相手となる比較ＵＲＬを登録でき、更には一つの書７９ａ、７９ｂ、７９ｃ、７９ｄ、７９ｅ、７９ｆに対して複数の比較ＵＲＬを登録できる。
【００４７】
図１２は、図１１に示す書７９ａを指示することで表示されるゲームモード画面であり、自国のゲーム背景画像表示画面である。図１２では、城門、武器屋、居酒屋、民家、教会、塔、太陽、パラス、またはキャラクターなどの表示コンテンツを背景画像にゲームコンテンツとして用いている。これらの表示コンテンツは、表示コンテンツ決定手段１２で決定されたものである。
図１２に示すゲームモード画面には、サイト最終調査日時８１、書名８２、ＳＥＯカレンダー８３、ランキング８４、ＳＥＯ対策メッセージ８５、およびプレイ内容変更表示８６が表示される。
サイト最終調査日時８１は、図４で説明した定期処理を行った日であり、最終処理日が表示される。書名８２は、書の名前である書特定検索キーワードである。
ＳＥＯカレンダー８３は、現在から所定期間前までの日を表示し、順位変動を日単位で表示している。図１２では、ＳＥＯカレンダー８３は、本日が１２月１９日であることを表示しており、１２月１０日から１２月１９日までの順位変動を、上矢印、下矢印、または右矢印で、日単位に表示している。ＳＥＯカレンダー８３において日単位の変動を示すことでＳＥＯ状況の確認を行うことができる。
ランキング８４は、検索エンジン１での順位を表示しており、複数の検索エンジン１での順位をスライドで表示する。
ＳＥＯ対策メッセージ８５は、ランク判断手段１７により判断された今回のランクと、前回のランクから今回のランクへの変動とからメッセージを作成して表示される。ＳＥＯ対策メッセージ８５によってＳＥＯ対策を促すことができる。
プレイ内容変更表示８６は、プレイ内容変更指示手段１９によってプレイ内容の変更が指示された場合、すなわち、ステップ５４においてゲーム終了（占領）データが登録され、またはステップ５６においてゲーム再開（反乱）データが登録された場合に表示される。
【００４８】
図１２に示すゲームモード画面において、ゲームモード指示欄８７を指示することで図１３に示すゲームモードメニュー画面に移行する。
図１３に示すゲームモードメニュー画面では、諜報リスト指示欄９１、駐屯と占領リスト指示欄９２、ゲームでの自国戦闘軍表示欄９３が表示される。
自国戦闘軍表示欄９３には、プレイ内容に影響するポイントが報酬として表示される。この報酬は、特定ＵＲＬから収集した順位決定要因データについて判断したランクが上位に変動した場合に付与される。ただし、この報酬は、テキスト数、フォト点数、ムービー点数などの変動が大きく内部要素が高い順位決定要因データでは、ランク判断することなく、テキスト数、フォト点数、ムービー点数などの数値が増加した場合に付与してもよい。
図１３に示す諜報リスト指示欄９１を指示することで、図１４に示す諜報リスト画面に移行する。
【００４９】
図１４に示す諜報リスト画面では、現在諜報中の敵国、すなわち現在諜報中の比較ＵＲＬの一覧が表示されるとともに、新規登録指示欄９４が表示される。
図１４に示す新規登録指示欄９４を指示することで、図１５に示す新規諜報先登録画面に移行する。
図１５に示す新規諜報先登録画面では、新規の敵国サイト、すなわち新規の比較ＵＲＬの入力欄９５、簡易偵察指示欄９６、敵国サイトの簡易情報表示欄９７、および諜報活動開始指示欄９８が表示される。
入力欄９５に新規の比較ＵＲＬを入力し、簡易偵察指示欄９６を指示することで、敵国サイトの簡易情報表示欄９７に敵国サイトの簡易情報が表示される。入力欄９５への入力と簡易偵察指示欄９６での指示は、図３に示すステップ２１における比較ＵＲＬの入力に相当する。
入力欄９５に入力した新規の比較ＵＲＬに対して諜報活動を開始するには、自国戦闘軍表示欄９３から諜報ユニットとして必要なユニットをドラックアンドドロップで移動し、諜報活動開始指示欄９８を指示する。諜報活動開始指示欄９８での指示は、図３に示すステップ２４における比較ＵＲＬの決定に相当する。諜報活動開始指示欄９８での指示によって、比較ＵＲＬについての順位決定要因データの収集（ステップ２２）、比較ＵＲＬから収集した順位決定要因データについてのランクの判断（ステップ２５）、比較ＵＲＬについての表示コンテンツの決定（ステップ２６）、比較ＵＲＬについてのゲーム背景画像の作成（ステップ２７）、書庫への登録（ステップ２８）が行われる。
【００５０】
ステップ２７におけるゲーム背景画像の作成が終了すると図１６に示す敵国情報画面に移行する。
図１６に示す敵国情報画面では、諜報活動が完了した新規の比較ＵＲＬ、すなわち敵国サイトの簡易情報表示欄９７、敵国サイトの調査内容指示欄９９、および自軍ユニット配置指示欄１００が表示される。
自軍ユニット配置指示欄１００を指示することで、図１７に示すユニット配置画面に移行する。
図１７に示すユニット配置画面において、自国戦闘軍表示欄９３から諜報ユニットとして必要なユニットをドラックアンドドロップで移動し、出陣指示欄１０１を指示することで図１８に示す戦闘画面に移行し、戦闘ゲームが開始する。
【００５１】
図１８に示す戦闘画面で戦闘が行われた結果、戦闘に勝利すると図１９に示す勝利画面に移行する。
図１９に示す勝利画面では、敵城に駐屯するか、撤退するかを選択でき、敵城に駐屯することを選択した場合には図２０に示す駐屯・占領リストにおいて、新たに駐屯した比較ＵＲＬが追加表示される。
図２０に示す駐屯・占領リストは、図１３に示すゲームモードメニュー画面で駐屯と占領リスト指示欄９２を指示した場合に移行する画面である。
図２０に示すように、戦闘に勝利し新たに駐屯した比較ＵＲＬについては、駐屯中表示であり、占領としない。
図４に示すステップ５２において、比較ＵＲＬが特定ＵＲＬよりもランキングが下となったことが判断されると、ゲーム終了（占領）データが登録され（ステップ５４）、図２１に示す駐屯・占領リストのように占領表示に変更される。
【００５２】
図１８に示す戦闘画面で戦闘が行われた結果、戦闘に敗北すると図２２に示す敗北画面に移行する。
図２２に示す敗北画面では、続けて戦うか、駐屯して終了するか、完全に撤退するかを選択できる。
【００５３】
図２３は本実施例によるＳＥＯ対策ゲームシステムにおける順位決定要因データの一覧リスト、図２４はこの順位決定要因データの分析図である。
図２３に示すように、順位決定要因データは、リンク、内部指標、外部指標、およびコンテンツのカテゴリに分けられる。
図２４では、横軸を変動の大小、縦軸を内外部要因としている。ＳＥＯ対策として変動の大きな順位決定要因データはプラス（右）方向、ＳＥＯ対策として変動の小さな順位決定要因データはマイナス（左）方向、内部要因の大きな順位決定要因データはプラス（上）方向、外部要因の大きな順位決定要因データはマイナス（下）方向に配置している。
ランク区分手段１５で区分しランク判断手段１７で判断するランクは、図２３に示す順位決定要因データをそれぞれ単独で、第１順位決定要因データ、第２順位決定要因データ、第３順位決定要因データ、第４順位決定要因データ、・・・として用いてもよいが、複数の順位決定要因データをグルーピングして複合的に用いてもよい。
【００５４】
図２４では、順位に応じて決定される第１表示コンテンツを背景とし、第１順位決定要因表示コンテンツを城とし、第２順位決定要因表示コンテンツを街としてゲームコンテンツに用いる例を示している。
第１表示コンテンツは、検索順位以外に、検索エンジン１でのインデックス数や検索エンジン１でのページランキングなどによって決定する。第１表示コンテンツは、変動については不定期であり、変動要素に関しては内部要因および外部要因の影響により変動する。第１表示コンテンツは、ＳＥＯ対策として最も重要な数値であり、ドメイン取得年月日以外は不定期に変動するため、常に状況を直感的に把握できることが求められるため背景としてゲームコンテンツに用いることが好ましい。
第１順位決定要因表示コンテンツは、コンテンツ量やページ内キーワード出現数などによって決定する。第１順位決定要因表示コンテンツは、変動についてはコンテンツ（テキスト数、フォト点数、ムービー点数）に応じて変動する。第１順位決定要因表示コンテンツは、ＷＥＢコンテンツの状況把握、そして日々のコンテンツ更新の成果をビジュアル化してモチベーションを維持するため、城としてゲームコンテンツに用いることが好ましい。
第２順位決定要因表示コンテンツは、リンク元ドメイン数や被リンク数などによって決定する。第２順位決定要因表示コンテンツは、変動については不定期であり、内部要因と異なり外部要因が強いためコントロールできない。第２順位決定要因表示コンテンツは、ＳＥＯ対策において重要な要素であるが、一般的にはコントロールできないため、現状の把握として街としてゲームコンテンツに用いることが好ましい。
【００５５】
図２５は本実施例によるＳＥＯ対策ゲームシステムにおいて、ランクまたは順位に応じたそれぞれの表示コンテンツを示している。
図２５（ａ）は１００位以下のランクでの表示コンテンツ、図２５（ｂ）は９９位から３１位のランクでの表示コンテンツ、図２５（ｃ）は３０位から１１位のランクでの表示コンテンツ、図２５（ｄ）は１０位から２位のランクでの表示コンテンツ、図２５（ｅ）は１位のランクでの表示コンテンツである。
図２５に示すランクまたは順位に応じた異なる表示コンテンツは、表示コンテンツ記憶手段３４に記憶されている。
【００５６】
図２６は本実施例によるＳＥＯ対策ゲームシステムにおいて、ゲーム背景画像表示の変化を示している。
図２６（ａ）では建物などの表示コンテンツの一部しか揃っていない状態、図２６（ｂ）は建物などの表示コンテンツが増えた状態、図２６（ｃ）は全ての表示コンテンツが揃った状態を示している。
図２６に示すゲーム背景画像は、特定ＵＲＬ用表示コンテンツ記憶手段３５や比較ＵＲＬ用表示コンテンツ記憶手段３６にデータが記憶され、図１２に示すゲームモード画面などのゲームプレイ手段２１で表示される。
【００５７】
以上のように本実施例によれば、特定ＵＲＬと比較ＵＲＬについて、順位に応じて決定された第１表示コンテンツを表示するとともに、順位決定要因データによるランクに応じた第２表示コンテンツを表示することで、結果としての順位だけでなく、順位に影響する順位決定要因データによるランクをビジュアルに表示でき、具体的なＳＥＯ対策を促すことができる。
【００５８】
次に本発明の他の実施例によるＳＥＯ対策ゲームシステムについて説明する。なお、上記実施例と同一機能手段については同一の符号を付けて説明を省略する。
本実施例による上位ランクＵＲＬ抽出手段１３は、上記実施例で説明したように上位から一定数のＵＲＬ２を複数のランク群として抽出するのではなく、例えば、検索エンジン１での検索順位の１位から１０位までというように、検索エンジン１での検索順位の上位から一定数のＵＲＬ２を抽出する。
順位決定要因データ収集手段１４では、例えば、ＵＲＬ内コンテンツ量、ＵＲＬ内キーワード出現数、ＵＲＬ内キーワード出現率、ＵＲＬ内タグテキスト、ＵＲＬ内スパム判定、外部サイトへのリンク数、内部サイトへのリンク数、ＳＥＯガイドライン評価、検索エンジンページランク、ドメイン取得年月日、類似ページ判定、外部サイトからのリンク数、著作者名、外部サイトからの被リンク数、外部被リンクドメイン分散率、外部被リンクＩＰ数、コンテンツ更新日、および主要構成テキストの中から少なくともいずれか一つを順位決定要因データとして各ＵＲＬ２から収集する。ここで、外部サイトからのリンク数は、リンクされているドメイン（ＵＲＬ）の数、外部サイトからの被リンク数は、リンクされている１ドメイン（ＵＲＬ）あたりのリンク数、外部被リンクドメイン分散率は、リンクされているドメイン（ＵＲＬ）の数÷ページ数、外部被リンクＩＰ数は、リンクされているドメイン（ＵＲＬ）元のＩＰアドレスの数、主要構成テキストとは、ＵＲＬ内で頻出する回数が多い単語である。
本実施例によるランク区分手段１５は、一つまたは複数のランク評価基準を有しており、検索エンジン１での検索順位の上位から一定数のＵＲＬ２について順位決定要因データ収集手段１４が収集した同種類の順位決定要因データの最大値、最小値、または平均値に基づいて、それぞれのランク評価基準を複数のランクに区分する。
【００５９】
そして、ランク決定手段１６では、例えば表示コンテンツを塔とした場合には、最高ランクは最大の塔、その次のランクは大きい塔、さらにその次のランクは標準の塔、最低ランクは小さい塔のように、ランクに応じたそれぞれの表示コンテンツを決定する。
一方、ランク判断手段１７では、特定ＵＲＬまたは評価ＵＲＬの順位決定要因データに対して、順位決定要因データの種類ごとに定められたランク評価基準を適用し、特定ＵＲＬまたは評価ＵＲＬの順位決定要因データのランクを判断する。
すなわち、ランク判断手段１７は、順位決定要因データ収集手段１４が収集した同種類の順位決定要因データについての最大値、最小値、または平均値のうちの少なくともいずれか一つと、特定ＵＲＬまたは評価ＵＲＬの同種類の順位決定要因データとを比較し、その結果とランク評価基準に基づいてランク分けを行う。
【００６０】
以下に、図２７を用いて、例えば第１から第５の評価基準を有するランク区分手段１５がランクの区分を行う場合について説明する。
【００６１】
図２７（ａ）は、ランク区分手段１５が第１の評価基準を用いてランクの区分を行う場合の説明図である。
第１の評価基準を適用する順位決定要因データは、その値が大きいほどＳＥＯ対策として好ましい順位決定要因データであり、例えば、外部サイトからのリンク数、外部サイトからの被リンク数である。
ランク区分手段１５は、検索エンジン１での検索順位の最上位から一定数のＵＲＬ２について順位決定要因データ収集手段１４が収集した同種類の順位決定要因データ（ここでは、例えば外部サイトからのリンク数とする）から、最大値α、最小値β、および平均値θを算出する。なお、特定ＵＲＬまたは評価ＵＲＬが検索エンジン１での検索順位の最上位から一定数のＵＲＬ２に含まれている場合は、特定ＵＲＬまたは評価ＵＲＬの値も含めて最大値α、最小値β、および平均値θを算出する。
そしてランク区分手段１５は、最大値α以上の場合を最高評価のＳランク、平均値θ以上最大値α未満の場合をＡランク、最小値β以上平均値θ未満の場合をＢランク、最小値β未満の場合を最低評価のＣランクというように、評価の高い順に「Ｓ」、「Ａ」、「Ｂ」、「Ｃ」の４つのランクに区分する。
また、ランク決定手段１６では、ランク区分手段１５が区分したランクに応じてそれぞれの表示コンテンツを決定する。
また、ランク判断手段１７は、特定ＵＲＬまたは比較ＵＲＬについて順位決定要因データ収集手段１４が収集した同種類の順位決定要因データ（外部サイトからのリンク数）と、最大値α、最小値β、および平均値θとを比較し、特定ＵＲＬまたは比較ＵＲＬの順位決定要因データの値が最大値α以上の場合は最高評価のＳランクと判断し、特定ＵＲＬまたは比較ＵＲＬの順位決定要因データの値が平均値θ以上最大値α未満の場合はＡランクと判断し、特定ＵＲＬまたは比較ＵＲＬの順位決定要因データの値が最小値β以上平均値θ未満の場合はＢランクと判断し、特定ＵＲＬまたは比較ＵＲＬの順位決定要因データの値が最小値β未満の場合は最低評価のＣランクというように、特定ＵＲＬまたは比較ＵＲＬの順位決定要因データの値に応じてランクを判断する。
【００６２】
図２７（ｂ）は、ランク区分手段１５が第２の評価基準を用いてランクの区分を行う場合の説明図である。
第２の評価基準を適用する順位決定要因データは、その値が小さいほどＳＥＯ対策として好ましい順位決定要因データであり、例えば、外部サイトへのリンク数、内部サイトへのリンク数である。
ランク区分手段１５は、検索エンジン１での検索順位の最上位から一定数のＵＲＬ２について順位決定要因データ収集手段１４が収集した同種類の順位決定要因データ（ここでは、例えば外部サイトへのリンク数とする）から、最大値α、最小値β、および平均値θを算出する。なお、特定ＵＲＬまたは評価ＵＲＬが検索エンジン１での検索順位の最上位から一定数のＵＲＬ２に含まれている場合は、特定ＵＲＬまたは評価ＵＲＬの値も含めて最大値α、最小値β、および平均値θを算出する。
そしてランク区分手段１５は、最大値αを超えている場合を最低評価のＣランク、平均値θを超え最大値α以下の場合をＢランク、最小値βを超え平均値θ以下の場合をＡランク、最小値β以下の場合を最高評価のＳランクというように、評価の高い順に「Ｓ」、「Ａ」、「Ｂ」、「Ｃ」の４つのランクに区分する。
また、ランク決定手段１６では、ランク区分手段１５が区分したランクに応じてそれぞれの表示コンテンツを決定する。
また、ランク判断手段１７は、特定ＵＲＬまたは比較ＵＲＬについて順位決定要因データ収集手段１４が収集した同種類の順位決定要因データ（外部サイトへのリンク数）と、最大値α、最小値β、および平均値θとを比較し、特定ＵＲＬまたは比較ＵＲＬの順位決定要因データの値が最大値αを超えている場合は最低評価のＣランクと判断し、特定ＵＲＬまたは比較ＵＲＬの順位決定要因データの値が平均値θを超え最大値α以下の場合はＢランクと判断し、特定ＵＲＬまたは比較ＵＲＬの順位決定要因データの値が最小値βを超え平均値θ以下の場合はＡランクと判断し、特定ＵＲＬまたは比較ＵＲＬの順位決定要因データの値が最小値β以下の場合は最高評価のＳランクというように、特定ＵＲＬまたは比較ＵＲＬの順位決定要因データの値に応じてランクを判断する。
【００６３】
図２７（ｃ）は、ランク区分手段１５が第３の評価基準を用いてランクの区分を行う場合の説明図である。
第３の評価基準を適用する順位決定要因データは、その値が大きいほうがＳＥＯ対策として好ましい順位決定要因データであり、例えば、コンテンツ更新日、外部被リンクドメイン分散率である。
ランク区分手段１５は、検索エンジン１での検索順位の最上位から一定数のＵＲＬ２について順位決定要因データ収集手段１４が収集した同種類の順位決定要因データ（ここでは、例えばコンテンツ更新日とする）から、最大値αおよび最小値βを算出する。なお、特定ＵＲＬまたは評価ＵＲＬが検索エンジン１での検索順位の最上位から一定数のＵＲＬ２に含まれている場合は、特定ＵＲＬまたは評価ＵＲＬの値も含めて最大値αおよび最小値βを算出する。
そしてランク区分手段１５は、最大値α以上の場合を最高評価のＡランク（大きい）、最小値βを超え最大値α未満の場合をＢランク（標準）、最小値β以下の場合を最低評価のＣランク（小さい）というように、評価の高い順に「Ａ」、「Ｂ」、「Ｃ」の３つのランクに区分する。
また、ランク決定手段１６では、ランク区分手段１５が区分したランクに応じてそれぞれの表示コンテンツを決定する。
また、ランク区分手段１５は、特定ＵＲＬまたは比較ＵＲＬについて順位決定要因データ収集手段１４が収集した同種類の順位決定要因データ（コンテンツ更新日）と、最大値αおよび最小値βとを比較し、特定ＵＲＬまたは比較ＵＲＬの順位決定要因データの値が最大値α以上の場合は最高評価のＡランク（大きい）と判断し、特定ＵＲＬまたは比較ＵＲＬの順位決定要因データの値が最小値βを超え最大値α未満の場合はＢランク（標準）と判断し、特定ＵＲＬまたは比較ＵＲＬの順位決定要因データの値が最小値β以下の場合は最低評価のＣランク（小さい）というように、特定ＵＲＬまたは比較ＵＲＬの順位決定要因データの値に応じてランクを判断する。
【００６４】
図２７（ｄ）は、ランク区分手段１５が第４の評価基準を用いてランクの区分を行う場合の説明図である。
第４の評価基準を適用する順位決定要因データは、その値が小さいほうがＳＥＯ対策として好ましい順位決定要因データであり、例えば、ドメイン取得年月日である。
ランク区分手段１５は、検索エンジン１での検索順位の最上位から一定数のＵＲＬ２について順位決定要因データ収集手段１４が収集した同種類の順位決定要因データ（ここでは、例えばドメイン取得年月日とする）から、最大値αおよび最小値βを算出する。なお、特定ＵＲＬまたは評価ＵＲＬが検索エンジン１での検索順位の最上位から一定数のＵＲＬ２に含まれている場合は、特定ＵＲＬまたは評価ＵＲＬの値も含めて最大値αおよび最小値βを算出する。
そしてランク区分手段１５は、最大値α以上の場合を最低評価のＣランク（大きい）、最小値βを超え最大値α未満の場合をＢランク（標準）、最小値β以下の場合を最高評価のＡランク（小さい）というように、評価の高い順に「Ａ」、「Ｂ」、「Ｃ」の３つのランクに区分する。
また、ランク決定手段１６では、ランク区分手段１５が区分したランクに応じてそれぞれの表示コンテンツを決定する。
また、ランク区分手段１５は、特定ＵＲＬまたは比較ＵＲＬについて順位決定要因データ収集手段１４が収集した同種類の順位決定要因データ（ドメイン取得年月日）と、最大値αおよび最小値βとを比較し、特定ＵＲＬまたは比較ＵＲＬの順位決定要因データの値が最大値α以上の場合は最低評価のＣランク（大きい）と判断し、特定ＵＲＬまたは比較ＵＲＬの順位決定要因データの値が最小値βを超え最大値α未満の場合はＢランク（標準）と判断し、特定ＵＲＬまたは比較ＵＲＬの順位決定要因データの値が最小値β以下の場合は最高評価のＡランク（小さい）というように、特定ＵＲＬまたは比較ＵＲＬの順位決定要因データの値に応じてランクを判断する。
【００６５】
図２７（ｅ）は、ランク区分手段１５が第５の評価基準を用いてランクの区分を行う場合の説明図である。
第５の評価基準を適用する順位決定要因データは、その値が所定範囲内に収まっていることが好ましい順位決定要因データであり、例えば、ＵＲＬ内キーワード出現率である。
ランク区分手段１５は、検索エンジン１での検索順位の最上位から一定数のＵＲＬ２について順位決定要因データ収集手段１４が収集した同種類の順位決定要因データ（ここでは、例えばＵＲＬ内キーワード出現率とする）から、最大値αおよび最小値βを算出する。なお、特定ＵＲＬまたは評価ＵＲＬが検索エンジン１での検索順位の最上位から一定数のＵＲＬ２に含まれている場合は、特定ＵＲＬまたは評価ＵＲＬの値も含めて最大値αおよび最小値βを算出する。
そしてランク区分手段１５は、最大値α以上の場合をＢランク（大きい）、最小値βを超え最大値α未満の場合をＡランク（標準）、最小値β以下の場合をＢランク（小さい）というように、評価の高い順に「Ａ」、「Ｂ」の２つのランクに区分する。
また、ランク決定手段１６では、ランク区分手段１５が区分したランクに応じてそれぞれの表示コンテンツを決定する。
また、ランク区分手段１５は、特定ＵＲＬまたは比較ＵＲＬについて順位決定要因データ収集手段１４が収集した同種類の順位決定要因データ（ＵＲＬ内キーワード出現率）と、最大値αおよび最小値βとを比較し、特定ＵＲＬまたは比較ＵＲＬの順位決定要因データの値が最大値α以上の場合はＢランク（大きい）と判断し、特定ＵＲＬまたは比較ＵＲＬの順位決定要因データの値が最小値βを超え最大値α未満の場合はＡランク（標準）と判断し、特定ＵＲＬまたは比較ＵＲＬの順位決定要因データの値が最小値β以下の場合はＢランク（小さい）というように、特定ＵＲＬまたは比較ＵＲＬの順位決定要因データの値に応じてランクを判断する。
【産業上の利用可能性】
【００６６】
本発明のＳＥＯ対策ゲームシステムによれば、ＷＥＢ管理担当者のスキルとモチベーションの向上を促すことができる。
【符号の説明】
【００６７】
１  検索エンジン
２  ＵＲＬ
１０  ＳＥＯ対策ゲームシステム
１１  ＵＲＬ順位検索手段
１２  表示コンテンツ決定手段
１３  上位ランクＵＲＬ抽出手段
１４  順位決定要因データ収集手段
１５  ランク区分手段
１６  ランク決定手段
１７  ランク判断手段
１８  順位比較手段
１９  プレイ内容変更指示手段
２０  報酬付与手段
２１  ゲームプレイ手段
３１  検索キーワード記憶手段
３２  特定ＵＲＬ記憶手段
３３  比較ＵＲＬ記憶手段
３４  表示コンテンツ記憶手段
３５  特定ＵＲＬ用表示コンテンツ記憶手段
３６  比較ＵＲＬ用表示コンテンツ記憶手段
３７  プレイ内容記憶手段
【図１】
2016131005.tif 000003
【図２】
2016131005.tif 000004
【図３】
2016131005.tif 000005
【図４】
2016131005.tif 000006
【図５】
2016131005.tif 000007
【図６】
2016131005.tif 000008
【図７】
2016131005.tif 000009
【図８】
2016131005.tif 000010
【図９】
2016131005.tif 000011
【図１０】
2016131005.tif 000012
【図１１】
2016131005.tif 000013
【図１２】
2016131005.tif 000014
【図１３】
2016131005.tif 000015
【図１４】
2016131005.tif 000016
【図１５】
2016131005.tif 000017
【図１６】
2016131005.tif 000018
【図１７】
2016131005.tif 000019
【図１８】
2016131005.tif 000020
【図１９】
2016131005.tif 000021
【図２０】
2016131005.tif 000022
【図２１】
2016131005.tif 000023
【図２２】
2016131005.tif 000024
【図２３】
2016131005.tif 000025
【図２４】
2016131005.tif 000026
【図２５】
2016131005.tif 000027
【図２６】
2016131005.tif 000028
【図２７】
2016131005.tif 000029